(57)【要約】【課題】窓枠のパネルは薄く、又壁の厚さは厚く、いろいろ異なるので、それに対応できる排気パイプを得る。【解決手段】ボルト、フランジの内部を中空とし、そのボルト、フランジ１２を壁１３又は窓枠９のパネル１０の穴１７の室内１４側に取り付け、反対部分にネジ１６を利用しナット１１を取り付けて締めて固着する。室内１４側に換気扇からのホース、パイプを接続するものである。【選択図】    図５
2004309095.tif 000002
【特許請求の範囲】
【請求項１】
ボルト、フランジ１２の内部を中空とし、そのボルト、フランジ１２を壁１３の穴１７の屋外１５側に取り付け、ボルト、フランジ１２の円筒部の外周のネジ１６を利用し、穴１７の室内１４側に、ナット１１を締めて固着する。又そのナット１１の室内１４側に、ネジ１６を利用し、換気扇からのホース、パイプ１５を固着する排気パイプである。
【請求項２】
ボルト、フランジ１２の内部を中空とし、そのボルト、フランジ１２を窓枠９のパネル１０の穴１７の室内１４側に取り付け、ボルト、フランジ１２の円筒部の外周のネジ１６を利用し、穴１７の屋外１５側に、ナット１１を取り付けて締めて固着する。ボルト、フランジ１２に換気扇からのホース、パイプ５を固着する排気パイプである。
【発明の詳細な説明】
【０００１】
【発明に属する技術分野】
本発明は、居住室内の壁、又は床上等任意な場所に、内部にモータとファンを有する換気扇箱を設置し、これにホース、パイプを連結する。このホース、パイプを取り付けた排気パイプに接続して、居住室内のたばこの煙や、花粉、ちり、ほこり等の汚れた空気を屋外に排出するものである。本発明はこの排気パイプに関するものである。
【０００２】
【従来の技術】
従来の排気パイプにおいては、窓枠のパネルの穴、又は壁の穴にパイプを挿入したものである。（例えば、特公平成１１年第２２３３７１号公報参照）
【０００３】
【発明が解決しようとする課題】
従来の排気パイプにあっては、窓枠のパネル、又は壁の穴に挿入しただけのものであり、不安定である。穴とパイプの隙間に充填材を入れ、その上にパテを塗って仕上げる必要があった。又ホース、パイプと排気パイプを接続するのも容易では無かった。
【０００４】
本発明は、窓枠の薄いパネル板や、厚さが異なる壁であっても、少ない部品で容易に組み立てることができ、又換気扇ホース、パイプと容易に接続できる排気パイプを提供することを目的としている。
【０００５】
【課題を解決するための手段】
本発明は、一般の機械で使用されているボルトとナットのネジを利用できることに着目した。窓枠のパネルの穴や、壁の穴の片側からボルトを入れ、反対側からナットを入れ、締めればよい。厚さがいろいろ異なってもボルトのネジ山で調整でき、その厚さに対応してナットで締め付けることができる。ネジ山の余った分は鋸等で切断する。又換気扇のホース、パイプと排気パイプの接合は、排気パイプの室内側にネジ又はテーパー形状等加工しておき、ホース、パイプの接続部に同じネジ又はテーパー形状等加工しておけば容易に連結できる。
【０００６】
【発明の実施の形態】
発明の実施の形態を実施例にもとづき図面を参照し説明する。
図１の換気扇箱１の内部に、モーター２がモーター支持具３によって取り付けられ、モーター２には、ファン４が取り付けられている。ファン４の回転により、室内の空気を吸入し、その空気を、換気扇箱１に取り付けたホース、パイプ５の内部に送る。フィルター６は換気扇箱１の内部や、ホース、パイプ５の内部に、汚染物質が付着するのを防ぐためである。ホース、パイプ取付用穴７は、配管の際、室内の状態により、右側になったり、左側になったり等異なるので、複数以上あり、使用しない穴は、板８でふさいである。
【０００７】
ホース、パイプ５の先端部は、図６の如く窓枠１０に取り付けたパネル１０にあいている穴１７のボルト、フランジ１２の室内側のテーパー形状と結合する。テーパー形状部分はネジでもよい。
【０００８】
排気パイプＡは、図５の如く、ボルト、フランジ１２の内部を中空とし、そのボルト、フランジ１２を壁１３の穴１７の屋外１５側に取り付け、ボルト、フランジ１２の円筒部の外周のネジ１６を利用し、穴１７の室内１４側にナット１１を取り付けて締めて固着する。又そのナット１１の室内側に、ネジ１６を利用し、換気扇からのホース、パイプ５を固着するものである。
【０００９】
又排気パイプＢは図６の如く、ボルト、フランジ１２の内部を中空とし、そのボルト、フランジ１２を窓枠９のパネル１０の穴１７の室内１４側に取り付け、ボルト、フランジ１２の円筒部の外周のネジ１６を利用し、穴１７の室外１５側に、ナット１１を取り付けて締めて固着する。ボルト、フランジ１２に換気扇からのホース、パイプ５を固着するものである。
【００１０】
【発明の効果】
本発明は以上に説明したように構成されているので、以下に記載されるような効果を奏する。
【００１１】
壁、窓枠のパネル等の穴とパイプの隙間に充填材やパテを塗る必要が無いので材料費が少なくなり、又作業時間も少なくなる。
【００１２】
厚さが異なる壁の穴でも、薄い窓枠のパネルの穴でもボルト、フランジとナットの組合せだけで、排気パイプを施行することができる。
【００１３】
ネジで締めて固着するので安定である。
【００１４】
換気扇からのホース、パイプの装着が容易である。
【図面の簡単な説明】
【図１】換気扇箱の正面図で、一部破断面
【図２】換気扇箱の「Ａ−Ｂ」断面図である。
【図３】室内の窓枠パネルに配管した実施例である。
【図４】室内の壁に配管した実施例である。
【図５】排気パイプＡの断面図である。
【図６】排気パイプＢの断面図である。
【符号の説明】
１  換気扇箱
２  モーター
３  モーター支持具
４  ファン
５  ホース、パイプ
６  フィルター
７  ホース、パイプ取付用穴
８  板
９  窓枠
１０  パネル
１１  ナット
１２  ボルト、フランジ
１３  壁
１４  室内
１５  屋外
１６  ネジ
１７  穴
【図１】
2004309095.tif 000003
【図２】
2004309095.tif 000004
【図３】
2004309095.tif 000005
【図４】
2004309095.tif 000006
【図５】
2004309095.tif 000007
【図６】
2004309095.tif 000008
【手続補正書】
【提出日】平成15年4月10日(2003.4.10)
【手続補正１】
【補正対象書類名】明細書
【補正対象項目名】特許請求の範囲
【補正方法】追加
【補正の内容】
【特許請求の範囲】
【請求項１】
ボルト、フランジ１２の内部を中空とし、そのボルト、フランジ１２を壁１３又は窓枠９のパネル１０の穴１７の屋外１５側に取り付け、ボルト、フランジ１２の円筒部の外周のネジ１６を利用し、穴１７の室内１４側にナット１１を締めて固着する。又そのナット１１の室内１４側に、ネジ１６を利用し、換気扇からのホース、パイプ５を固着する換気扇の排気パイプである。
【請求項２】
ボルト、フランジ１２の内部を中空とし、そのボルト、フランジ１２を壁１３又は窓枠９のパネル１０の穴１７の室内１４側に取り付け、ボルト、フランジ１２の円筒部の外周のネジ１６を利用し、穴１７の室外１５側にナット１１を取り付けて締めて固着する。ボルト、フランジ１２の室内１４側に換気扇からのホース、パイプを固着する換気扇の排気パイプである。
【手続補正２】
【補正対象書類名】明細書
【補正対象項目名】００１３
【補正方法】変更
【補正の内容】
【００１３】ネジで締めて固着するので安定している。
【手続補正３】
【補正対象書類名】明細書
【補正対象項目名】００１４
【補正方法】追加
【補正の内容】
【００１４】換気扇からのホース、パイプと排気パイプの装着が容易である。


【手続補正４】
【補正対象書類名】図面
【補正対象項目名】全図
【補正方法】変更
【補正の内容】
【図１】
2004309095.tif 000009
【図２】
2004309095.tif 000010
【図３】
2004309095.tif 000011
【図４】
2004309095.tif 000012
【図５】
2004309095.tif 000013
【図６】
2004309095.tif 000014
【手続補正書】
【提出日】平成15年10月3日(2003.10.3)
【手続補正１】
【補正対象書類名】明細書
【補正対象項目名】特許請求の範囲
【補正方法】変更
【補正の内容】
【特許請求の範囲】
【請求項１】
ボルト、フランジ１２の内部を中空とし、そのボルト、フランジ１２を壁１３又は窓枠９のパネル１０等の穴１７の室外１５側に取り付ける。又厚さは壁１３は厚く、窓枠９のパネル１０は薄いので、これに対応するため、ボルトフランジ１２の円筒の外周ネジ１６を頭の際まで加工し、又円筒部の外周ネジ１６の長さは、壁１３の最大厚さより長くしておく、そのネジ１６を利用し、穴１７の室内１４側にナット１１を取り付けて締めて固着する。又そのボルト、フランジ１２の室内側に換気扇からのホース、パイプ５を固着する。換気パイプの長さを壁１３の厚いのに対応し、合わせるようにした換気扇の排気パイプである。
【請求項２】
ボルト、フランジ１２の内部を中空とし、そのボルト、フランジ１２を壁１３又は窓枠９のパネル１０等の穴１７の室内１４側に取り付ける。又厚さは壁１３は厚く、窓枠９のパネル１０は薄いので、これに対応するため、ボルト、フランジ１２の円等の外周のネジ１６を頭の際まで加工し、又円筒部の外周のネジ１６の長さは壁１３の最大厚さより長くしておく。そのネジ１６を利用し、穴１７の室外１５側にナット１１を取り付けて締めて固着する。又そのボルト、フランジ１２の室内１４側に、換気扇からのホース、パイプ５を固着する。排気パイプの長さを壁１３の厚いのや窓枠９のパネル１０等の薄いのに対応し、合わせるようにした換気扇の排気パイプである。
【手続補正２】
【補正対象書類名】明細書
【補正対象項目名】０００５
【補正方法】変更
【補正の内容】
【０００５】
【課題を解決するための手段】本発明は、一般の機械で使用されているボルト、ナットのネジを利用できることに着目した。窓枠のパネルの穴や、壁の穴も片側からボルトを入れ、反対側からナットを入れ、締めればよい。厚さがいろいろ異なってもボルトのネジ山で調整でき、その厚さに対応してナットで締め付けることができる。又換気扇のホース、パイプと排気パイプの接合は、排気パイプの室内側にネジ又はテーパー形状等加工しておき、ホース、パイプの接続部に同じネジ又はテーパー形状等加工しておけば容易に連結できる。


【手続補正３】
【補正対象書類名】明細書
【補正対象項目名】０００８
【補正方法】変更
【補正の内容】
【０００８】
排気パイプＡは図５の如く、ボルト、フランジ１２の内部を中空とし、そのボルト、フランジ１２を壁１３又は窓枠９のパネル１０等の穴１７の室外１５側に取り付ける。又厚さは壁１３は厚く、窓枠９のパネルは薄いので、これに対応するため、ボルト、フランジ１２の円筒の外周ネジ１６を、頭の際まで加工し、又円筒部の外周ネジ１６の長さは、壁１３の最大厚さより長くしておく、そのネジ１６を利用し、穴１７の室内１４側にナット１１を取り付けて締めて固着する。そのボルト、フランジ１２の室内側に換気扇からのホース、パイプ５を固着する。排気パイプの長さを壁１３の厚いのや、窓枠９のパネル１０等の薄いのに対応し、合わせるようにした換気扇の排気パイプである。


【手続補正４】
【補正対象書類名】明細書
【補正対象項目名】０００９
【補正方法】変更
【補正の内容】
【０００９】
排気パイプＢは図６の如くボルト、フランジ１２の内部を中空とし、そのボルト、フランジ１２を壁１３又は窓枠９のパネル１０等の穴１７の室内１４側に取り付ける。又厚さは壁１３は厚く、窓枠９のパネル１０は薄いので、これに対応するため、ボルト、フランジ１２の円等の外周のネジ１６を頭の際まで加工し、又円筒部の外周のネジ１６の長さは、壁１３の最大厚より長くしておく。そのネジ１６を利用し、穴１７の室外１５側にナット１１を取り付けて締めて固着する。又そのボルト、フランジ１２の室内１４側に、換気扇からのホース、パイプ５を固着する。排気パイプ１８の長さを、壁１３の厚いのや窓枠９のパネル１０等の薄いのに対応し、合わせるようにした換気扇の排気パイプである。


【手続補正５】
【補正対象書類名】図面
【補正対象項目名】図５
【補正方法】変更
【補正の内容】
【図５】
2004309095.tif 000015